【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
信号処理方法であって、
入力信号を受け取り、該入力信号からオーディオ情報を獲得するステップであって、ここで、該オーディオ情報はオーディオ信号の区間を意味する、ステップと、
前記オーディオ情報のセグメントが、音声に分類されるオーディオ信号の部分を示す音声セグメントであるのか、又は、音声には分類されないオーディオ信号の部分を示す非音声セグメントであるのかを分類するためにオーディオ情報を調査するステップであって、ここで、セグメントで表されるオーディオ信号の各部分はそれぞれ音量を有し、前記音声セグメントの該音量は１以上の非音声セグメントの音量より小さい、ステップと、
前記音声セグメントの音量の測定値を得るために前記オーディオ情報を調査するステップと、
前記非音声セグメントで表現される前記オーディオ信号部分の音量よりも音声セグメントの音量の測定値に敏感に対応する制御情報を生成することによりオーディオ信号の区間の音量の表示を行うステップと、
を具備する信号処理方法。
【請求項２】
前記音声セグメントの音量の変化を減少させるために前記制御情報に応答して前記オーディオ信号の区間の音量を制御するステップであって、ここで、音声セグメントで表現される前記オーディオ信号の部分の音量を大きくするとき、１以上の非音声セグメントで表現される前記オーディオ信号の部分の音量も大きくする、ステップを具備する請求項１に記載の方法。
【請求項３】
前記オーディオ情報の表示と前記制御情報の表示とを出力信号に組み立て、該出力信号を送信するステップを具備する請求項１に記載の方法。
【請求項４】
音声セグメントで表現されるオーディオ信号を周波数で重み付けしたものの平均指数を計算することにより音声セグメントの音量の測定値を得るステップを具備する請求項１又は請求項２に記載の方法。
【請求項５】
オーディオ情報に音響心理学的モデルに基づく音量を適用することにより、音声セグメントの音量の測定値を得るステップを具備する請求項１又は請求項２に記載の方法。
【請求項６】
前記オーディオ情報から前記オーディオ信号の複数の特性を導き出し、各々の重要さの程度により重み付けを行い、該重み付けされた特性の組み合わせに従って前記セグメントの分類を行うことによりセグメントを分類するステップを具備する請求項１又は請求項２に記載の方法。
【請求項７】
オーディオエネルギーの程度が閾値より小さい前記オーディオ信号の区間のみの音量を調整することで前記オーディオ信号の区間の音量を制御するステップを具備する請求項１又は請求項２に記載の方法。
【請求項８】
前記オーディオ信号の区間の音量の表示は、音声セグメントの音量の測定値のみに対応している請求項１又は請求項２に記載の方法。
【請求項９】
１以上の非音声セグメントの音量を測定するステップであって、ここで、前記オーディオ信号の区間の音量の表示は、１以上の前記非音声セグメントの音量の計測値より前記音声セグメントの音量の測定値に敏感に対応している、ステップを具備する請求項１又は請求項２に記載の方法。
【請求項１０】
各々のセグメントで表現されるオーディオ信号が音声の特性を持つ程度を表示する音声指標を作成するステップと、
各々のセグメントの前記音声指標に応じた各々のセグメントの音量の測定値に対応するような音量の表示を作成するステップと、
を具備する請求項１又は請求項２に記載の方法。
【請求項１１】
セグメントの時間順序に応じた各セグメントの音量の測定値に対応するような音量の表示を作成するステップを具備する請求項１又は請求項２に記載の方法。
【請求項１２】
オーディオ情報の特性に対応してオーディオ情報のセグメントの長さを適合させるステップを具備する請求項１又は請求項２に記載の方法。
【請求項１３】
信号処理方法を行う装置により実行しうる命令のプログラムを伝達し、該装置により読み込むことのできる媒体であって、
該信号処理方法は、
入力信号を受け取り、該入力信号からオーディオ情報を獲得するステップであって、ここで、該オーディオ情報はオーディオ信号の区間を意味する、ステップと、
前記オーディオ情報のセグメントが、音声に分類されるオーディオ信号の部分を示す音声セグメントであるのか、又は、音声には分類されないオーディオ信号の部分を示す非音声セグメントであるのかを分類するためにオーディオ情報を調査するステップであって、ここで、セグメントで表されるオーディオ信号の各部分はそれぞれ音量を有し、前記音声セグメントの該音量は１以上の非音声セグメントの音量より小さい、ステップと、
前記音声セグメントの音量の測定値を得るために前記オーディオ情報を調査するステップと、
前記非音声セグメントで表現される前記オーディオ信号部分の音量よりも音声セグメントの音量の測定値に敏感に対応する制御情報を生成することによりオーディオ信号の区間の音量の表示を行うステップと
を具備する信号処理方法を行う装置により実行しうる命令のプログラムを伝達し、該装置により読み込むことのできる媒体。
【請求項１４】
前記方法は、前記音声セグメントの音量の変化を減少させるために前記制御情報に応答して前記オーディオ信号の区間の音量を制御するステップであって、ここで、音声セグメントで表現される前記オーディオ信号の部分の音量を大きくするとき、１以上の非音声セグメントで表現される前記オーディオ信号の部分の音量も大きくする、ステップを具備する、請求項１３に記載の媒体。
【請求項１５】
前記方法は、前記オーディオ情報の表示と前記制御情報の表示とを出力信号に組み立て、該出力信号を送信するステップを具備する、請求項１３に記載の媒体。
【請求項１６】
前記方法は、音声セグメントで表現されるオーディオ信号を周波数で重み付けしたものの平均指数を計算することにより音声セグメントの音量の測定値を得るステップを具備する、請求項１３又は請求項１４に記載の媒体。
【請求項１７】
前記方法は、オーディオ情報に音響心理学的モデルに基づく音量を適用することにより、音声セグメントの音量の測定値を得るステップを具備する、請求項１３又は請求項１４に記載の媒体。
【請求項１８】
前記方法は、前記オーディオ情報から前記オーディオ信号の複数の特性を導き出し、各々の重要さの程度により重み付けを行い、該重み付けされた特性の組み合わせに従って前記セグメントの分類を行うことによりセグメントを分類するステップを具備する、請求項１３又は請求項１４に記載の媒体。
【請求項１９】
前記方法は、オーディオエネルギーの程度が閾値より小さい前記オーディオ信号の区間のみの音量を調整することで前記オーディオ信号の区間の音量を制御するステップを具備する、請求項１３又は請求項１４に記載の媒体。
【請求項２０】
前記方法において、前記オーディオ信号の区間の音量の表示は、音声セグメントの音量の測定値のみに対応している、請求項１３又は請求項１４に記載の媒体。
【請求項２１】
前記方法は、１以上の非音声セグメントの音量を測定するステップであって、ここで、前記オーディオ信号の区間の音量の表示は、１以上の前記非音声セグメントの音量の計測値より前記音声セグメントの音量の測定値に敏感に対応している、ステップを具備する、請求項１３又は請求項１４に記載の媒体。
【請求項２２】
前記方法は、
各々のセグメントで表現されるオーディオ信号が音声の特性を持つ程度を表示する音声指標を作成するステップと、
各々のセグメントの前記音声指標に応じた各々のセグメントの音量の測定値に対応するような音量の表示を作成するステップと、
を具備する、請求項１３又は請求項１４に記載の媒体。
【請求項２３】
前記方法は、セグメントの時間順序に応じた各セグメントの音量の測定値に対応するような音量の表示を作成するステップを具備する、請求項１３又は請求項１４に記載の媒体。
【請求項２４】
前記方法は、オーディオ情報の特性に対応してオーディオ情報のセグメントの長さを適合させるステップを具備する、請求項１３又は請求項１４に記載の媒体。
【請求項２５】
信号処理のための装置であって、
入力信号を受け取るための入力端子と、
記憶装置と、
前記入力端子と前記記憶装置に接続された処理回路であって、該処理回路は、
入力信号を受け取り、該入力信号からオーディオ情報を獲得するステップであって、ここで、該オーディオ情報はオーディオ信号の区間を意味する、ステップと、
前記オーディオ情報のセグメントが、音声に分類されるオーディオ信号の部分を示す音声セグメントであるのか、又は、音声には分類されないオーディオ信号の部分を示す非音声セグメントであるのかを分類するためにオーディオ情報を調査するステップであって、ここで、セグメントで表されるオーディオ信号の各部分はそれぞれ音量を有し、前記音声セグメントの該音量は１以上の非音声セグメントの音量より小さい、ステップと、
前記音声セグメントの音量の測定値を得るために前記オーディオ情報を調査するステップと、
前記非音声セグメントで表現される前記オーディオ信号部分の音量よりも音声セグメントの音量の測定値に敏感に対応する制御情報を生成することによりオーディオ信号の区間の音量の表示を行うステップと、
を具備する処理を行うのに適合している、信号処理のための装置。
【請求項２６】
前記処理回路は、前記音声セグメントの音量の変化を減少させるために前記制御情報に応答して前記オーディオ信号の区間の音量を制御するステップであって、ここで、音声セグメントで表現される前記オーディオ信号の部分の音量を大きくするとき、１以上の非音声セグメントで表現される前記オーディオ信号の部分の音量も大きくする、ステップを具備する処理を行うのに適合している、請求項２５に記載の装置。
【請求項２７】
前記処理回路は、前記オーディオ情報の表示と前記制御情報の表示とを出力信号に組み立て、該出力信号を送信するステップを具備する処理を行うのに適合している、請求項２５に記載の装置。
【請求項２８】
前記処理回路は、音声セグメントで表現されるオーディオ信号を周波数で重み付けしたものの平均指数を計算することにより音声セグメントの音量の測定値を得るステップを具備する処理を行うのに適合している、請求項２５又は請求項２６に記載の装置。
【請求項２９】
前記処理回路は、オーディオ情報に音響心理学的モデルに基づく音量を適用することにより、音声セグメントの音量の測定値を得るステップを具備する処理を行うのに適合している、請求項２５又は請求項２６に記載の装置。
【請求項３０】
前記処理回路は、前記オーディオ情報から前記オーディオ信号の複数の特性を導き出し、各々の重要さの程度により重み付けを行い、該重み付けされた特性の組み合わせに従って前記セグメントの分類を行うことによりセグメントを分類するステップを具備する処理を行うのに適合している、請求項２５又は請求項２６に記載の装置。
【請求項３１】
前記処理回路は、オーディオエネルギーの程度が閾値より小さい前記オーディオ信号の区間のみの音量を調整することで前記オーディオ信号の区間の音量を制御するステップを具備する処理を行うのに適合している、請求項２５又は請求項２６に記載の装置。
【請求項３２】
前記処理回路は、前記オーディオ信号の区間の音量の表示が音声セグメントの音量の測定値のみに対応する処理を行うのに適合している、請求項２５又は請求項２６に記載の装置。
【請求項３３】
前記処理回路は、１以上の非音声セグメントの音量を測定するステップであって、ここで、前記オーディオ信号の区間の音量の表示は、１以上の前記非音声セグメントの音量の計測値より前記音声セグメントの音量の測定値に敏感に対応している、ステップを具備する処理を行うのに適合している、請求項２５又は請求項２６に記載の装置。
【請求項３４】
前記処理回路は、
各々のセグメントで表現されるオーディオ信号が音声の特性を持つ程度を表示する音声指標を作成するステップと、
各々のセグメントの前記音声指標に応じた各々のセグメントの音量の測定値に対応するような音量の表示を作成するステップと、
を具備する処理を行うのに適合している、請求項２５又は請求項２６に記載の装置。
【請求項３５】
前記処理回路は、セグメントの時間順序に応じた各セグメントの音量の測定値に対応するような音量の表示を作成するステップを具備する処理を行うのに適合している、請求項２５又は請求項２６に記載の装置。
【請求項３６】
前記処理回路は、オーディオ情報の特性に対応してオーディオ情報のセグメントの長さを適合させるステップを具備する処理を行うのに適合している、請求項２５又は請求項２６に記載の装置。